【手続補正書】
【提出日】平成25年1月10日(2013.1.10)
【手続補正１】
【補正対象書類名】特許請求の範囲
【補正対象項目名】全文
【補正方法】変更
【補正の内容】
【特許請求の範囲】
【請求項１】
それぞれのオンラインユーザーデバイスの各ユーザーの個人識別情報を含む電子データにアクセスできる１つ以上のコンピュータを用いて実行される方法であって、
前記１つ以上のコンピュータを制御する１つの事業者が、オンラインユーザーインターフェースデバイスを用いて、インターネット接続を介して実行される所定のオンライン活動にアクセスでき、前記方法は、
(a) １つの要求サーバーから１つ以上のコンピュータに、ＩＰアドレス、時間、及び日付の電子伝送を受信させ、
(b) 前記１つ以上のコンピュータを用いて、前記ユーザーに対して、前工程(a)で受信された時間及び日付に関連した、前記工程(a)で受信されたＩＰアドレスを自動的に決定し、
(c) オフラインデータプロバイダーから発生するオフラインデータを前記要求サーバーに配信させる電子通信を、前記１つ以上のコンピュータから自動的に伝送し、前記オフラインデータは、前記工程(b)で決定された前記ユーザーに関係し、前記電子通信が、前記事業者がアクセスできるオンライン活動の履歴に関連するオフラインデータプロバイダー情報に伝達されず、前記オンライン活動が、工程(b)で決定された前記ユーザーによって実行され、そして、前記オンライン活動の配信及び前記オフラインデータは、前記工程(b)において決定した前記ユーザーの個人識別情報として前記要求サーバーに伝達しないことを特徴とする方法。
【請求項２】
前記工程(b)および前記工程(c)の動作は、前記工程(b)で決定されたユーザーの個人識別情報を伴うオンライン活動の履歴に関連しないで実行されることを特徴とする請求項１記載の方法。
【請求項３】
前記工程(c)において、１つ以上のコンピュータから電子通信を自動的に伝送することは、
(i) オフラインデータプロバイダーから発生する前記工程(b)において決定したユーザーに関連するオフラインデータを前記要求サーバーに、または、(ii) 前記ＩＰアドレス、時間、及び日付が前記工程(a)で受信される前に、前記オフラインデータプロバイダーから受信されたオフラインデータを前記要求サーバーに、自動的にかつ電気的に指向させるステップを含むことを特徴とする請求項１記載の方法。
【請求項４】
前記工程(c)において、１つ以上のコンピュータから電子通信を自動的に伝送することは、前記工程(b)において決定されたユーザーを個人的に識別するオフラインデータプロバイダー情報に自動的にかつ電気的に指向させるステップを含むことを特徴とする請求項１記載の方法。
【請求項５】
(i)前記工程(b)において、決定されたユーザーを個人的に識別する情報をオフラインデータプロバイダーに自動的にかつ電気的に指向させるステップは、前記工程(b)において決定されたユーザーに関するオフラインデータを有する１つ以上のコンピュータによって受信され、そして、(ii)前記工程(c)において生じた配信は、前記オフラインデータプロバイダーから受信されたオフラインデータを前記要求サーバーに伝送するステップを含むことを特徴とする請求項４記載の方法。
【請求項６】
前記工程(b)において、決定されたユーザーを個人的に識別する情報をオフラインデータプロバイダーに自動的にかつ電気的に指向させるステップは、オフラインデータプロバイダーが、前記工程(b)において、決定されたユーザーに関係するオフラインデータを前記要求サーバーに伝達する結果となることを特徴とする請求項４記載の方法。
【請求項７】
前記要求サーバーの識別情報は、予め用意されていることを特徴とする請求項６記載の方法。
【請求項８】
前記工程(c)において、１つ以上のコンピュータから電子通信を自動的に伝送することは、さらに、前記要求サーバーを識別するオフラインデータプロバイダー情報に自動的にかつ電気的に指向させるステップを含むことを特徴とする請求項６記載の方法。
【請求項９】
（A)(i)前記工程(a)の前記受信されたＩＰアドレス、時間、及び日付に対応するオンライン識別情報を前記要求サーバーから受信し、そして、（ii)前記工程(b)で決定したユーザーを個人的に識別する情報に関連するオンラインデータ識別情報をオフラインデータプロバイダーに前記１つ以上のコンピュータから伝送するステップと、
（B)(i) 工程(b)において、決定されたユーザーに対応するオフラインデータ識別情報をオフラインデータプロバイダーから受信し、前記オフラインデータ識別情報は、そのユーザーを個人的に識別せず、そして、(ii)工程(a)において受信されたＩＰアドレス、時間、及び日付に関連するオフラインデータ識別情報を前記１つ以上のコンピュータから前記要求サーバーに伝達するステップと、
(C)(i) １つ以上のコンピュータを用いて、前記工程(b)において、決定したユーザーに対応するオフラインデータ識別情報を発生させ、前記オフラインデータ識別情報は、前記ユーザーの個人的に識別をせず、(ii)前記工程(a)において、受信されたＩＰアドレス、時間、及び日付に関連して前記要求サーバーに１つ以上のコンピュータから発生したオフラインデータ識別情報を伝送し、そして、(iii)前記工程(b)において、決定したユーザーを個人的に識別する前記情報に関連してオフラインデータプロバイダーに１つ以上のコンピュータから発生したオフラインデータ識別情報を伝送するステップとを含むことを特徴とする請求項６記載の方法。
【請求項１０】
前記工程(a)の前記ＩＰアドレス、時間、及び日付は、前記要求サーバーから受信され、または、前記工程(b)において、決定した受信加入者のオンラインアクセスデバイスを介して、前記要求サーバーにオンラインアクセスまたはオンラインリダイレクトに対応することを特徴とする請求項１記載の方法。
【請求項１１】
前記要求サーバーから受信された前記ＩＰアドレスは、多重オンラインユーザーインターフェースデバイスに関連していることを特徴とする請求項１記載の方法。
【請求項１２】
前記１つ以上のコンピュータを制御する事業者は、ＩＰＳであり、各ユーザーは、ＩＳＰの受信加入者であることを特徴とする請求項１記載のシステム。
【請求項１３】
前記１つ以上のコンピュータが、請求項１ないし１２のいずれかの方法を実行するために構成されかつ接続されている、前記１つ以上のコンピュータを含むシステム。
【請求項１４】
コンピュータで読取可能な指令をエンコードする有形的表現媒体を含む物品であって、
１つ以上のコンピュータに適用されるとき、前記１つ以上のコンピュータが、請求項１ないし１２のいずれかに記載の方法を実行するために、１つ以上の前記要求サーバーに指示することを特徴とする物品。
【請求項１５】
１つ以上のコンピュータを用いて実行される方法であって、
(a) それぞれのオンラインユーザーインターフェースデバイスの各ユーザーの個人的な識別情報を含む電子データにアクセスするコンピュータに対して、第１ユーザーのオンライン動作に対応する、ＩＰアドレス、時間、及び日付を自動的にかつ電子的に伝送し、前記ＩＰアドレス、時間、及び日付が伝送される前記コンピュータを制御する事業者は、それぞれのオンラインユーザーインターフェースデバイスを用いて、それぞれのインターネット接続を介して実行される所定のオンライン活動にアクセスすることができ、
(b)前記ユーザーに関するオフラインデータの電子伝送を受信し、このオフラインデータは、前記事業者がアクセスできるオンライン活動の履歴に関連する情報を欠いているオフラインデータプロバイダーから発生し、前記オンライン活動は、前記第１ユーザーによって実行され、そして、前記受信された電子伝送及び前記オフラインデータは、前記第１ユーザーの個人的な識別情報を配信しないことを特徴とする方法。
【請求項１６】
電子データにアクセスできる前記コンピュータは、ＩＰＳの制御の下にあり、各ユーザーは、ＩＳＰの受信加入者であることを特徴とする請求項１５記載の方法。
【請求項１７】
１つ以上のコンピュータを用いて、オフラインデータプロバイダーの制御の下で実行される方法であって、
(a) 第１ユーザーを個人的に識別する情報を含む電子通信を受信し、この受信された通信は、それぞれのオンラインユーザーインターフェースデバイスの各ユーザーの個人的な識別情報を含む電子データにアクセスできるサーバーから受信され、該サーバーは、それぞれのインターネット接続を介して前記オンラインユーザーインターフェースデバイスを用いて実行されるオンライン活動にアクセスできる事業者によって制御され、前記受信された通信は、前記事業者がアクセスできるオンライン活動の履歴に関連する情報を含まず、前記オンライン活動は、前記第１ユーザーによって実行され、そして、
(b) )前記工程(a)に応答して、(i)前記第１ユーザーに関するオフラインデータと、（ii)前記第１ユーザーによって用いられるオンラインユーザーインターフェースを用いて要求サーバーによって関連した識別情報を、前記要求サーバーに自動的にかつ電気的に伝送して、前記第１ユーザーに関連したＩＰアドレスを介して所定の時間及び日付におけるオンライン動作を実行し、前記オフラインデータ及び識別情報は、前記第１ユーザーの個人的識別情報を前記要求サーバーに配信しないことを特徴とする方法。
【請求項１８】
前記電子通信は、ＩＳＰの制御の下でサーバーから受信され、前記第１ユーザーは、前記ＩＳＰの受信加入者であることを特徴とする請求項１７記載の方法。